【手続補正書】
【提出日】平成17年6月17日(2005.6.17)
【手続補正１】
【補正対象書類名】明細書
【補正対象項目名】発明の名称
【補正方法】変更
【補正の内容】
【発明の名称】コンテンツ生成データのデータ構造、コンテンツ生成装置、およびコンテンツ生成システム
【手続補正２】
【補正対象書類名】明細書
【補正対象項目名】特許請求の範囲
【補正方法】変更
【補正の内容】
【特許請求の範囲】
【請求項１】
コンテンツ生成装置に対してコンテンツの動きが選択された場合に、前記コンテンツ生成装置に、所定のコンテンツの時系列に関する構成要素を記憶装置から取得させ、所定の順に従って前記取得させた構成要素を対応付けることでコンテンツを生成させるための中間データとして用いられるコンテンツ生成データのデータ構造であって、
コンテンツの動きを示す識別子と、
前記動きを表現するために必要な、前記構成要素を示す識別子と前記構成要素の順とを指定する系列とを対応付けて含む、コンテンツ生成データのデータ構造。
【請求項２】
１以上のコンテンツの構成要素をさらに含み、
前記コンテンツ生成装置に、前記コンテンツ生成データに含まれる前記１以上のコンテンツの構成要素から所定の構成要素を取得させる、請求項１に記載のコンテンツ生成データのデータ構造。
【請求項３】
前記系列は、前記コンテンツにおける前記構成要素の再生時間の比率をさらに指定する、請求項１または２に記載のコンテンツ生成データのデータ構造。
【請求項４】
前記コンテンツの構成要素は図形オブジェクトを含み、前記構成要素に含まれる図形オブジェクトは、所定の制御点により構成されて、前記構成要素とは異なる他の構成要素に含まれる、同数の制御点により構成される他の図形オブジェクトと対応付けられることを特徴とする、請求項１〜３のいずれかに記載のコンテンツ生成データのデータ構造。
【請求項５】
前記コンテンツの構成要素は、音楽と画像との少なくとも一方を含む、請求項１〜３のいずれかに記載のコンテンツ生成データのデータ構造。
【請求項６】
前記コンテンツの構成要素は文字コードに対応付けられ、
前記コンテンツ生成装置に対して前記動きの識別子と前記文字コードとが選択された場合に、前記コンテンツ生成装置に、前記識別子に対応した前記系列に基づいて、前記文字コードに対応した所定の構成要素を取得させ、前記順に従って前記取得させた構成要素を対応付けることで前記文字を表現するコンテンツを生成させる、請求項１に記載のコンテンツ生成データのデータ構造。
【請求項７】
コンテンツの生成要求を受付ける生成要求受付手段と、
前記受付けた生成要求から、前記コンテンツの動きを示す識別子を取得する第１の取得手段と、
前記コンテンツを生成するための中間データであって、コンテンツの動きを示す識別子と、前記動きを表現するために必要な、前記コンテンツの時系列に関する構成要素を示す識別子とその順とを指定する系列とを対応付けて含むコンテンツ生成データを取得する第２の取得手段と、
前記第２の取得手段で取得した前記コンテンツ生成データを用いて、前記第１の取得手段で取得した前記識別子に基づいたコンテンツを生成するコンテンツ生成手段とを備える、コンテンツ生成装置。
【請求項８】
前記コンテンツ生成手段は、
前記識別子に対応した前記系列に基づいて、所定の構成要素を取得する第３の取得手段と、
前記順に従って、前記第３の取得手段で取得した前記構成要素を対応付けるリンク手段とをさらに備える、請求項７に記載のコンテンツ生成装置。
【請求項９】
前記第１の取得手段は、前記生成要求に含まれる前記コンテンツで表現する文字コードをさらに取得し、
前記コンテンツ生成手段は、前記第２の取得手段で取得した前記コンテンツ生成データを用いて、前記第１の取得手段で取得した前記識別子と前記文字コードとに基づいた前記文字を表現するコンテンツを生成する、請求項７に記載のコンテンツ生成装置。
【請求項１０】
前記第１の取得手段は、前記生成要求に含まれる、前記コンテンツの再生時間と繰返し回数と往復回数との少なくとも１つを取得し、
前記コンテンツ生成手段は、前記第２の取得手段で取得した前記コンテンツ生成データを用いて、前記第１の取得手段で取得した前記識別子と前記再生時間あるいは繰返し回数あるいは往復回数とに基づいて前記コンテンツを生成する、請求項７に記載のコンテンツ生成装置。
【請求項１１】
コンテンツ生成装置と、コンテンツ再生装置とを含むコンテンツ生成システムであって、
前記コンテンツ再生装置は、コンテンツの生成要求を前記コンテンツ再生装置に対して出力する再生要求手段を備え、
前記コンテンツ生成装置は、
前記コンテンツ再生装置から前記生成要求を受付ける生成要求受付手段と、
前記受付けた生成要求から、前記コンテンツの動きを示す識別子を取得する第１の取得手段と、
前記コンテンツを生成するための中間データであって、コンテンツの動きを示す識別子と、前記動きを表現するために必要な、前記コンテンツの時系列に関する構成要素を示す識別子とその順とを指定する系列とを対応付けて含むコンテンツ生成データを取得する第２の取得手段と、
前記第２の取得手段で取得した前記コンテンツ生成データを用いて、前記第１の取得手段で取得した前記識別子に基づいたコンテンツを生成するコンテンツ生成手段と、
前記生成されたコンテンツを前記コンテンツ再生装置に出力する出力手段とを備える、コンテンツ生成システム。
【請求項１２】
前記コンテンツ再生装置は、前記再生要求手段において、前記コンテンツで表現する文字コードを含む前記生成要求を出力し、
前記コンテンツ生成装置は、前記第１の取得手段において前記文字コードをさらに取得し、前記コンテンツ生成手段において、前記第２の取得手段で取得した前記コンテンツ生成データを用いて、前記第１の取得手段で取得した前記識別子と前記文字コードとに基づいた前記文字を表現するコンテンツを生成する、請求項１１に記載のコンテンツ生成システム。
【請求項１３】
前記コンテンツ再生装置は、前記再生要求手段において、前記コンテンツの再生時間と、繰返し回数と、往復回数との少なくとも１つを含む前記生成要求を出力し、
前記コンテンツ生成装置は、前記第１の取得手段において前記再生時間あるいは繰返し回数あるいは往復回数をさらに取得し、前記コンテンツ生成手段において、前記第２の取得手段で取得した前記コンテンツ生成データを用いて、前記再生時間あるいは繰返し回数あるいは往復回数に基づいて前記コンテンツを生成する、請求項１１に記載のコンテンツ生成システム。
【手続補正３】
【補正対象書類名】明細書
【補正対象項目名】０００１
【補正方法】変更
【補正の内容】
【０００１】
【発明の属する技術分野】
この発明はコンテンツ生成データのデータ構造、コンテンツ生成装置、およびコンテンツ生成システムに関し、特に、時系列的に配列された構成要素からなるコンテンツを効率的に生成することのできるコンテンツ生成データのデータ構造、コンテンツ生成装置、およびコンテンツ生成システムに関する。
【手続補正４】
【補正対象書類名】明細書
【補正対象項目名】００１１
【補正方法】変更
【補正の内容】
【００１１】
本発明は、このような問題を解決するためになされたものであって、時系列的に配列された画像等の構成要素からなるコンテンツを効率的に生成するためのコンテンツ生成データのデータ構造、コンテンツ生成装置、およびコンテンツ生成システムを提供することを目的とする。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】